(57)【要約】      （修正有）【課題】患者の苦痛および不快感を軽減ないし除去できる内視鏡検査や治療に用いて好適な医療用枕を提供する。【解決手段】医療用枕１は、枕本体部２を具え、枕本体部は、表面３および裏面４ならびに、表面と裏面のそれぞれ周縁部分に連続して、表面および裏面を相互に連結する側面５ａ〜５ｄを有し、側面５ａの一部に、表面から裏面に向けて貫通するとともに側面５ａから窪む凹部６を設け、凹部を隔てた表面両側のそれぞれに、頭部の各部位を支持する二箇所の頭部載置箇所Ａ１、Ａ２を区画形成し、凹部を設けた側面５ａから、反対側に位置する側面５ｄに向けて枕高さが漸増する傾斜面にするとともに、いずれか一方の頭部載置箇所に、表面から突出する突起部７を設ける。【選択図】図１
0003193789.tif 000002
【実用新案登録請求の範囲】
【請求項１】
枕本体部を具え、前記枕本体部が、表面および裏面ならびに、該表面および裏面のそれぞれの周縁部分に連続して、該表面および裏面の相互を連結する側面を有してなる医療用枕であって、
前記枕本体部の側面の一部に、前記表面および裏面のうちの少なくとも表面に開口するとともに該側面から窪む凹部を設け、前記表面の、該凹部を隔てた両側のそれぞれに、頭部の各部位を支持する二箇所の頭部載置箇所を区画形成し、
前記表面を、前記裏面に対し、前記凹部を設けた側面から、該側面とは反対側に位置する側面に向けて枕高さが漸増する傾斜面とするとともに、いずれか一方の頭部載置箇所に、該表面から突出する突起部を設けてなる医療用枕。
【請求項２】
前記突起部を設けた一方の頭部載置箇所を、他方の頭部載置箇所に比して広幅としてなる請求項１に記載の医療用枕。
【請求項３】
枕本体部の前記表面の、前記裏面に対する傾斜角度を、１０°〜２０°としてなる請求項１または２に記載の医療用枕。
【請求項４】
前記突起部を、枕本体部とは別個の部材で構成し、該突起部を枕本体部に対して着脱可能としてなる請求項１〜３のいずれか一項に記載の医療用枕。
【請求項５】
前記枕本体部の全面を覆うシームレスな枕カバーをさらに具えてなる請求項１〜４のいずれか一項に記載の医療用枕。
【請求項６】
前記枕本体部の外面の全体に、防水加工を施してなる請求項１〜５のいずれか一項に記載の医療用枕。
【請求項７】
前記凹部に配置される受け皿をさらに具え、前記凹部を、前記受け皿の周縁部に整合する形状としてなる請求項１〜６のいずれか一項に記載の医療用枕。
【考案の詳細な説明】
【技術分野】
【０００１】
この考案は、枕本体部を具える医療用枕、なかでも、医療機関における内視鏡検査その他の検査や治療で用いて好適な医療用枕に関するものであり、特には、検査や治療を受ける患者の苦痛および不快感を軽減ないし除去することのできる技術を提案するものである。
【背景技術】
【０００２】
内視鏡を用いる検査・治療のうち、患者をベッドに横たえさせた状態で、患者の口腔から、気管支鏡等の内視鏡を挿入して体内の観察等を行う場合、従来は、図６に示すような単純な、いわゆる横長枕５１を用いることとしていた。
【０００３】
かかる横長枕５１を用いて内視鏡検査を行うに当っては、ベッドに横たえさせた患者の体とともに頭部を横向きにし、図７に示すように、頭部側面を横長枕５１の表面５２上に載置させる。そして、内視鏡のシャフト先端を、患者の口腔から体内に挿入した後、内視鏡の基端側でシャフトの操作を行いながら、シャフト先端を目的部位に到達させ、そこの観察ないし治療を行う。
【０００４】
このとき、横向きの患者の口腔内で分泌されて口腔外へ吐出される唾液を受けるため、図７に示すように、横長枕５１の長手方向外側の隣接位置に、唾液受け皿６１を配置し、横向きの頭部を横長枕５１の端のほうに位置させる。なおこの唾液受け皿６１内に、唾液を流すため、患者の頭部を、真横よりも若干斜め下側に向けさせることが一般的である。
【考案の概要】
【考案が解決しようとする課題】
【０００５】
しかるに、上述したような横長枕５１を用いた内視鏡検査では、患者は、口腔内から内視鏡シャフトを挿入されることに起因する苦痛を緩和させるべく、横向きの頭部を上向きに移動させようとするが、この際に頭部が上向きになると、口腔内からシャフトを挿入された患者が、自身の口腔内に分泌した唾液を誤って飲み込むことがあり、それにより、咽頭がふさがれてむせたり、咳き込んだりすることが頻繁にあった。
【０００６】
この場合、患者が強い苦痛を感じるだけでなく、患者の咳き込み等によって、唾液等が唾液受け皿６１外へ飛散して、周囲にある患者の顔や頭皮、衣服、枕、ベッド等を汚すので、患者が不快感を覚えるとともに、その後の周囲の清掃が必要になるという問題があった。
【０００７】
しかも、このような患者の唾液誤飲による咳き込み等が生じると、施術者は、患者が落ち着くまで検査等を中断せざるを得ない他、落ち着いた後に再び、患者の頭部を横向きにさせると、横長枕５１の水平な表面５２に起因して、患者の頭部は真横を向きやすくなり、口腔から流れる唾液を、唾液受け皿６１で確実に受けることができなかった。
【０００８】
この考案は、従来技術が抱えるこのような問題を解決することを課題とするものであり、それの目的とするところは、内視鏡等の検査や治療に際し、横向きの患者が上を向くことによる唾液誤飲が招く咳き込み等の発生を有効に防止し、それにより、特に、患者の苦痛および不快感の軽減ないし除去を実現することのできる医療用枕を提供することにある。
【課題を解決するための手段】
【０００９】
この考案の医療用枕は、枕本体部を具え、前記枕本体部が、表面および裏面ならびに、該表面および裏面のそれぞれの周縁部分に連続して、該表面および裏面の相互を連結する側面を有してなる医療用枕であって、前記枕本体部の側面の一部に、前記表面および裏面のうちの少なくとも表面に開口するとともに該側面から窪む凹部を設け、前記表面の、該凹部を隔てた両側のそれぞれに、頭部の各部位を支持する二箇所の頭部載置箇所を区画形成し、前記表面を、前記裏面に対し、前記凹部を設けた側面から、該側面とは反対側に位置する側面に向けて枕高さが漸増する傾斜面とするとともに、いずれか一方の頭部載置箇所に、該表面から突出する突起部を設けてなるものである。
【００１０】
ここで、前記突起部を設けた一方の頭部載置箇所は、他方の頭部載置箇所に比して広幅とすることが好ましい。
またここで、枕本体部の前記表面の、前記裏面に対する傾斜角度は、１０°〜２０°とすることが好ましい。
そしてまた、前記突起部を、枕本体部とは別個の部材で構成し、該突起部を枕本体部に対して着脱可能とすることが好ましい。
【００１１】
ところで、この医療用枕では、前記枕本体部の全面を覆うシームレスな枕カバーをさらに具えること、および、前記枕本体部の外面の全体に、防水加工を施すことがそれぞれ好適である。
なお上記の医療用枕は、前記凹部に配置される受け皿をさらに具え、前記凹部を、前記受け皿の周縁部に整合する形状とすることが好ましい。
【考案の効果】
【００１２】
この考案の医療用枕によれば、枕本体部の側面の一部に、受け皿を入り込ませて配置することのできる凹部を設けて、その凹部を隔てた両側のそれぞれに、頭部の各部分を支持する二箇所の頭部載置箇所を区画形成したことにより、たとえば、枕高さの高い頭部載置箇所に患者の側頭部を、また枕高さの低い頭部載置箇所に患者の下顎近傍の部位を載置させることで、患者の口腔の前方側に位置する凹部に配置した受け皿に、口腔内で分泌される唾液を有効に流し入れることができる。
【００１３】
またここでは、一方の頭部載置箇所から他方の頭部載置箇所に向けて枕高さが漸減する傾斜面としたことにより、上述したように患者の頭部を枕本体部に載置することで、口腔内からシャフトを挿入された頭部が横向きの患者の、上を向こうとする動作を抑制することができるので、頭部が上向きとなった際の唾液誤飲を効果的に抑制することができる。
【００１４】
その上、いずれか一方の頭部載置箇所に、該表面から突出する突起部を設けたことにより、この突起部と上述した傾斜面とが、患者の頭部を安定的に固定支持するので、頭部を上向きにしようとする患者の動作をより有効に抑制することができる。
これらの結果として、検査・治療に際する患者の苦痛や不快感を十分に軽減し、または取り除くことができる。
【図面の簡単な説明】
【００１５】
【図１】この考案の一の実施形態の医療用枕を示す斜視図である。
【図２】図１の医療用枕を、唾液受け皿とともに示す斜視図である。
【図３】図１の医療用枕の使用状態を示す平面図である。
【図４】図１の医療用枕が有する枕本体部の表面の傾斜角度を示す斜視図である。
【図５】この考案の他の実施形態の医療用枕を示す斜視図である。
【図６】従来の横長枕を示す斜視図である。
【図７】図６の横長枕の使用状態を示す平面図である。
【考案を実施するための形態】
【００１６】
以下に図面を参照しつつ、この考案の実施の形態について詳細に説明する。
この考案の一の実施形態に係る医療用枕１は、枕本体部２を具えるものであり、この枕本体部２は、図１に示すように、たとえば、患者等の頭部が配置される表面３と、表面３とは逆側を向いて該表面３から所定の距離をおいて位置する、これもたとえばベッド等に接触する裏面４と、表面３および裏面４のそれぞれの周縁部分に連続するとともに、それらの表面３および裏面４の相互を全周にわたって連結する側面５ａ〜５ｄを有する。
【００１７】
なお、この枕本体部２の表面３、裏面４および側面５ａ〜５ｄに取り囲まれる内部は、公知のクッション性を有する任意の材料からなり、人体の頭部を所要の反発力をもって所定の高さで支持するべく機能する。
【００１８】
ここにおいて、この医療用枕１では、枕本体部２の側方を向く側面５ａ〜５ｄのうち、図１の手前側の側面５ａの一部、たとえば図１の左右方向の中間部に、その側面５ａから窪む凹部６を、前記表面３および裏面４のうちの少なくとも表面３に開口させて設ける。図示の実施形態では、凹部６を、表面３および裏面４の両面に開口させて、表面３から裏面４に向けて貫通するものとしている。
【００１９】
このことによれば、医療用枕１の上記の凹部６内に、図２に示すようにして、たとえば膿盆等の唾液受け皿２１を配置することができ、そして、内視鏡等の検査・治療に際し、この医療用枕１上に、図３に平面図で示すように、患者Ｐの頭部を横向きで載置させた状態で、患者Ｐの口腔内へ内視鏡シャフトを挿入した場合に、その患者Ｐの口腔から流れ出る唾液を、凹部６内に入り込んで位置する唾液受け皿２１によって確実に受けることができる。
【００２０】
ここで、凹部６の寸法・形状は、そこに配置する唾液受け皿２１の寸法・形状に合わせて適宜決定することができるが、患者Ｐの口腔から流れ出る唾液を、唾液受け皿２１で確実に受けるためには、凹部６および唾液受け皿２１は比較的大きいほうが望ましい。図示の実施形態では、凹部６の形状を、平面視でソラマメ状をなす唾液受け皿２１の周縁部に整合する形状としている。
【００２１】
この実施形態では、枕本体部２の側面５ａの中間部に、上記の凹部６を設けたことにより、凹部６を設けた側面５ａ側の表面部分が、図示のように、凹部６を隔てて二箇所の部分に区分けされることになり、これらの各部分を、患者Ｐの頭部の各部位を支持する頭部載置箇所Ａ１、Ａ２とする。それにより、枕本体部２は全体として、平面視で略馬蹄形もしくは「Ｕ」字状をなす。
【００２２】
またここでは、上記の凹部６を形成することに加えて、凹部６を設けた側面５ａから、その側面５ａとは反対側に位置する側面５ｄに向けて枕高さが次第に高くなるように、枕本体部２の表面３を、裏面４に対して傾斜する傾斜面とする。
【００２３】
それにより、図３および４に示すように患者Ｐの頭部を載置した際に、表面３の傾斜に起因して、患者Ｐの頭部の正面は、図４に矢印で示す如く、真横よりも幾分斜め下向きになるので、頭部の正面が真横を向く場合に比して、患者Ｐの口腔を、凹部６に配置した唾液受け皿２１により接近させることができる。それ故に、患者Ｐの体内への内視鏡シャフト挿入時に、患者Ｐの口腔から流れ出る唾液が、唾液受け皿２１の外へ流出するおそれを有利に取り除くことができる。従って、唾液の流出による患者Ｐの顔、頭髪、衣類や設備等の汚れを抑制して、患者Ｐの不快感を軽減することができる。
【００２４】
また、口腔から内視鏡シャフトを挿入された患者Ｐの多くは、その挿入に起因する苦痛から、頭部を上向きに向けようとするが、シャフト挿入時に頭部が上を向くと口腔内の唾液を誤飲し、それによる咽頭の閉塞によって、患者Ｐがむせたり、咳き込んだりして苦痛を感じる。
これに対し、この考案では、上述したような傾斜面とする表面３により、頭部を斜め下方向に向けるので、頭部の横向き姿勢が維持され易くなる。その結果として、シャフト挿入時の頭部が上を向く動作が抑制されて、上述したような唾液誤飲、ひいては咳き込み等を有効に防止することができ、患者Ｐの苦痛を軽減ないし除去することができる。
【００２５】
このような医療用枕１では、凹部６により区画される二箇所の頭部載置箇所Ａ１、Ａ２のうち、一方の頭部載置箇所Ａ１に、図３に示すように、患者Ｐの頭部のこめかみ部分を含む側頭部が載置されるとともに、他方の頭部載置箇所Ａ２に、下顎部側面が載置される。
【００２６】
そして、この医療用枕１では、側頭部が載置される一方の頭部載置箇所Ａ１の一部に、表面３から隆起して突出する突起部７を設けている。
かかる突起部７を設けることにより、患者Ｐの頭部のこめかみ部分近傍に接触するこの突起部７は、側面５ｄから側面５ａに向けて枕高さを漸減させる表面３の傾斜面と協働して、側頭部を安定して固定するべく機能するので、先述したような頭部の上向き姿勢を、より一層有効に抑制することができる。
【００２７】
以上の結果として、医療用枕１によれば、患者Ｐの苦痛および不快感の軽減ないし除去を実現できる他、唾液が唾液受け皿２１外へ飛散することによる清掃の手間を省くことができ、また、患者Ｐの咳き込み等による検査・治療の中断の回数を有効に減らして、検査・治療の遅滞をも防止することができる。
【００２８】
このような枕本体部２の表面３の、裏面４に対する傾斜角度θは、図４に、側面５ｂ側から視た斜視図で示すように、１０°〜２０°とすることが好適であり、たとえば、１５°とすることができる。
それにより、頭部を安定して支持し、かつ無理のない姿勢で患者Ｐが横になることができ、また、唾液を唾液受け皿２１内により確実に流し込むことができるとともに、頭部の上向き姿勢を一層有効に抑制することができる。
【００２９】
なお、枕本体部２の表面３および裏面４のそれぞれは、図示のような平坦面とすることができる他、図示は省略するが湾曲面とすることも可能である。湾曲面とする場合、表面３の傾斜角度θの測定は、たとえば、側面視で、表面３の、最も枕高さの高い側面５ｄ側の端縁と、最も枕高さの低い側面５ａ側の端縁とを通る平面の角度を測ること等により行うことができる。
また、枕本体部２の表面３は、傾斜面と突起部７との間で頭部を安定して固定することができるように、表面３の、少なくとも、凹部６を設けた側面５ａの近傍領域が傾斜面であればよく、必ずしも、図示のように表面３の全体を傾斜面とすることを要しない。
【００３０】
図１〜４に示すところでは、たとえば、枕本体部２の全体を取り囲む枕カバー内に、突起部７を配置して、または、枕本体部２と一体成形して、突起部７を枕本体部２と一体をなすものとしているが、図５に示すように、別個の部材としての突起部１７を設けることも可能である。
【００３１】
より詳細には、図５に示す実施形態では、突起部１７を、頭部載置箇所Ａ１の周囲を取り囲むリング状の取付けバンド１７ａと、その取付けバンド１７ａの外周側に連結した直方体状の突起形成部材１７ｂとで構成している。それにより、頭部載置箇所Ａ１の周囲から、取付けバンド１７ａを外すことができるで、突起部１７を、枕本体部１２に対して着脱可能なものとすることができる。
【００３２】
このような突起部７、１７を設けた一方の頭部載置箇所Ａ１は、他方の頭部載置箇所Ａ２よりも、凹部６、１６を設けた側面５ａ、１５ａに沿う方向の長さとしての幅を広くすることが好ましい。これは、一方の頭部載置箇所Ａ１に載置される側頭部と、他方の頭部載置箇所Ａ２に載置される下顎部の大きさを考慮したことによるものである。
【００３３】
また、図５に示す実施形態では、図５からは明確ではないものの、枕本体部１２を覆う枕カバーを、継ぎ目のないシームレスなものとしている。これにより、医療用枕１１を使用する患者Ｐの使い心地を大きく向上させることができる。
そしてまた、図５に示す実施形態では、枕本体部１２の内部を、低反発もしくは高反発のウレタンにより形成しているので、適度なクッション性による、患者Ｐの快適性の向上および、検査・治療の安定実施を高い次元で両立することができる。
【００３４】
その上、図５の医療用枕１１では、枕本体部１２の外部に露出する外面、すなわち、この場合は枕カバーに、防水処理を施しているため、仮に唾液等が付着したとしても容易に除去することができて、清潔を保つことが可能になる。なおここでは、枕本体部１２の外面を、汚れが目立つ青色にすることができ、これにより鎮静効果も期待できる。
【００３５】
なお、以上に述べたような医療用枕１、１１では、枕本体部２、１２の裏面４、１４の下側に滑り止めシートを敷設することが、検査・治療の際に患者Ｐの動き等による医療用枕１、１１の位置ずれを防止できる点で好ましい。
【符号の説明】
【００３６】
１、１１  医療用枕
２、１２  枕本体部
３、１３  表面
４、１４  裏面
５ａ〜５ｄ、１５ａ〜１５ｄ  側面
６、１６  凹部
７、１７  突起部
１７ａ    取付けバンド
１７ｂ    突起形成部材
２１      唾液受け皿
Ａ１、Ａ２  頭部載置箇所
θ        裏面に対する表面の傾斜角度
Ｐ        患者
【図１】
0003193789.tif 000003
【図２】
0003193789.tif 000004
【図３】
0003193789.tif 000005
【図４】
0003193789.tif 000006
【図５】
0003193789.tif 000007
【図６】
0003193789.tif 000008
【図７】
0003193789.tif 000009